(57)【要約】【課題】乳幼児の発汗を抑えて皮膚疾患を抑制することができる姿勢保持装置を提供する。【解決手段】姿勢保持装置は、人（乳幼児を含む）を所要の姿勢（例えば、着座した姿勢、仰向け、うつぶせ又は横向きに寝た姿勢など）に保持する。姿勢保持装置は、人体の所定部位が接触する接触部と、接触部に設けられ、発汗を検出する発汗検出部と、イオン発生部と、イオン発生部で発生したイオンを含む空気を送風するためのファンと、発汗検出部で発汗を検出した場合、イオン発生部で発生するイオン量を増加すべくイオン発生部及び／又はファンを制御する制御部とを備える。【選択図】図１
2015209122.tif 000002
【特許請求の範囲】
【請求項１】
人を所要の姿勢に保持する姿勢保持装置であって、
人体の所定部位が接触する接触部と、
該接触部に設けられ、発汗を検出する発汗検出部と、
イオン発生部と、
該イオン発生部で発生したイオンを含む空気を送風するためのファンと、
前記発汗検出部で発汗を検出した場合、前記イオン発生部で発生するイオン量を増加すべく前記イオン発生部及び／又は前記ファンを制御する制御部と
を備えることを特徴とする姿勢保持装置。
【請求項２】
人を覆う着脱可能なカバーの装着の着脱の別を検出する検出部を備え、
前記制御部は、
前記検出部で前記カバーの装着を検出した場合、前記カバーが装着されていない場合に比べてイオン発生量を増加させることを特徴とする請求項１に記載の姿勢保持装置。
【請求項３】
前記制御部は、
前記検出部で前記カバーの装着を検出した場合、前記イオン発生部の運転開始時点から所定時間の間、イオン発生量を増加させることを特徴とする請求項２に記載の姿勢保持装置。
【請求項４】
前記制御部は、
前記検出部で前記カバーの装着を検出した場合、前記イオン発生部の運転開始後、所定の周期でイオン発生量を繰り返し増減させることを特徴とする請求項２又は請求項３に記載の姿勢保持装置。
【請求項５】
前記所定部位は、人の背中又は臀部であることを特徴とする請求項１から請求項４までのいずれか１項に記載の姿勢保持装置。
【発明の詳細な説明】
【技術分野】
【０００１】
本発明は、所要の姿勢に保持された人の周辺空間にイオンを供給することができる姿勢保持装置に関する。
【背景技術】
【０００２】
イオン発生装置は、正イオンと負イオンを発生させ、発生したイオンを含む空気を送出することにより、空気中のカビ、浮遊菌またはウィルスなどを除去することができる。例えば、室内の状態がカビ菌の繁殖しやすい環境である第１の状態と、ウィルスの繁殖しやすい環境である第２の状態とにある場合に、通常状態よりも多くのイオンを発生させるイオン発生装置が開示されている（特許文献１参照）。
【先行技術文献】
【特許文献】
【０００３】
【特許文献１】特許第３６３４８５５号公報
【発明の概要】
【発明が解決しようとする課題】
【０００４】
乳幼児は、大人に比べると雑菌に対する抵抗力も弱く、また皮膚疾患を起こしやすい。例えば、乳幼児をベビーカー、ベビーベッド、車両などに乗せ、乳幼児を所要の姿勢に保持すると、季節によっては発汗が激しくなり、あせも、その他の皮膚疾患を引き起こしやすくなる。
【０００５】
本発明は斯かる事情に鑑みてなされたものであり、乳幼児の発汗を抑えて皮膚疾患を抑制することができる姿勢保持装置を提供することを目的とする。
【課題を解決するための手段】
【０００６】
本発明に係る姿勢保持装置は、人を所要の姿勢に保持する姿勢保持装置であって、人体の所定部位が接触する接触部と、該接触部に設けられ、発汗を検出する発汗検出部と、イオン発生部と、該イオン発生部で発生したイオンを含む空気を送風するためのファンと、前記発汗検出部で発汗を検出した場合、前記イオン発生部で発生するイオン量を増加すべく前記イオン発生部及び／又は前記ファンを制御する制御部とを備えることを特徴とする。
【０００７】
本発明に係る姿勢保持装置は、人を覆う着脱可能なカバーの装着の着脱の別を検出する検出部を備え、前記制御部は、前記検出部で前記カバーの装着を検出した場合、前記カバーが装着されていない場合に比べてイオン発生量を増加させることを特徴とする。
【０００８】
本発明に係る姿勢保持装置は、前記制御部は、前記検出部で前記カバーの装着を検出した場合、前記イオン発生部の運転開始時点から所定時間の間、イオン発生量を増加させることを特徴とする。
【０００９】
本発明に係る姿勢保持装置は、前記制御部は、前記検出部で前記カバーの装着を検出した場合、前記イオン発生部の運転開始後、所定の周期でイオン発生量を繰り返し増減させることを特徴とする。
【００１０】
本発明に係る姿勢保持装置は、前記所定部位は、人の背中又は臀部であることを特徴とする。
【発明の効果】
【００１１】
本発明によれば、乳幼児の発汗を抑えて皮膚疾患を抑制することができる。
【図面の簡単な説明】
【００１２】
【図１】第１実施形態の姿勢保持装置を具備するベビーカーの一例を示す外観斜視図である。
【図２】第１実施形態のベビーカーの座席の一例を示す模式図である。
【図３】第１実施形態のベビーカーのイオン発生装置の構成の一例を示すブロック図である。
【図４】第１実施形態のベビーカーの発汗検出部による発汗検出の一例を示す説明図である。
【図５】第２実施形態の姿勢保持装置を具備するベビーカーの一例を示す外観斜視図である。
【図６】レインカバーを装着した場合の通常時のイオン量の変化の様子の一例を示す説明図である。
【図７】レインカバーを装着した場合にＰＣＩユニットの運転開始時点から所定時間の間風量を増加させた場合のイオン量の変化の様子の一例を示す説明図である。
【図８】レインカバーを装着した場合に乳幼児が動いたときの通常時のイオン量の変化の様子の一例を示す説明図である。
【図９】レインカバーを装着した場合に乳幼児が動いたときのＰＣＩユニットの運転開始後、所定の周期でファンの送風量を繰り返し増減させた場合のイオン量の変化の様子の一例を示す説明図である。
【図１０】レインカバーを装着した場合に乳幼児が動いたときのＰＣＩユニットの運転開始時点から所定時間の間風量を増加させた場合のイオン量の変化の様子の一例を示す説明図である。
【図１１】第４実施形態の姿勢保持装置を具備するベビーベッドの一例を示す説明図である。
【図１２】第５実施形態の姿勢保持装置を具備する車両の一例を示す説明図である。
【００１３】
（第１実施形態）
以下、本発明を実施の形態を示す図面に基づいて説明する。図１は第１実施形態の姿勢保持装置を具備するベビーカー１００の一例を示す外観斜視図である。図１に示すように、ベビーカー１００は、乳幼児が所要の姿勢として着座姿勢を保持することができる座席１０、座席１０の背もたれ部に設けられた発汗検出部１５、座席１０の後方に設けられた幌１７、幌１７を支持する支持部１６、ベビーカー１００を動かす場合に手を添える把持部１８、乳幼児の前方に設けられた安全バーに設けられたイオン発生装置５０などを備える。図１において、姿勢保持装置は、少なくとも座席１０、発汗検出部１５、イオン発生装置５０などで構成することができる。
【００１４】
図２は第１実施形態のベビーカー１００の座席１０の一例を示す模式図である。図２に示すように、座席１０は、背もたれ部１１及びシート部１２を有する。背もたれ部１１及びシート部１２は、人体の所定部位が主に接触する接触部として機能する。人体の所定部位とは、例えば、乳幼児の背中、臀部などであるが、他の部位であってもよい。背もたれ部１１は、乳幼児の背中が接触する箇所であり、シート部１２は、乳幼児の臀部が接触する箇所である。なお、所定部位が接触するとは、例えば、乳幼児の着衣を介して接触することを意味するが、肌が露出した部分でもよい。本実施の形態では、背もたれ部１１に発汗検出部１５を設ける例について説明するが、発汗検出部１５はシート部１２に設けることもできる。なお、発汗検出部１５は、背もたれ部１１又はシート部１２の表面にある生地の内側に組み込むようにすればよい。
【００１５】
発汗検出部１５は、例えば、結露検知器、湿度検知器、温度検知器、温湿度検知器などを用いることができる。結露検知器は、一般的な櫛歯型電極を備える素子であり、結露、浸水などを検知することができる。上記の検知器はそれぞれ一般に使用されているので詳細な説明は省く。発汗検出部１５は、発汗の有無を検出し、検出結果をイオン発生装置５０へ出力する。発汗検出部１５とイオン発生装置５０との間は、有線による又は無線による通信を行うことができるようにしてある。
【００１６】
図３は第１実施形態のベビーカー１００のイオン発生装置５０の構成の一例を示すブロック図である。図３に示すように、イオン発生装置５０は、箱状のケース本体５１の一方の端面に吹出口５２を備える。ケース本体５１内部には、イオン発生部としてのＰＣＩ（プラズマクラスターイオン）ユニット５４、ファン５３、バッテリ５５、制御部としての制御回路５６などを備える。
【００１７】
図１に例示したようにイオン発生装置５０をベビーカー１００に装着する場合、吹出口５２から吹き出されるイオンが、座席１０に座った乳幼児の顔や体の方に送出されるように、イオン発生装置５０を装着すればよい。
【００１８】
ＰＣＩユニット５４は、空気中の水蒸気をプラズマ放電によりイオン化することにより、プラスイオンとしてのＨ+ （Ｈ2 Ｏ）m （ｍは任意の自然数）と、マイナスイオンとしてのＯ2- （Ｈ2 Ｏ）n （ｎは任意の自然数）とを発生する。そして、これらが空気中の浮遊細菌や浮遊ウィルス等に付着して化学反応することにより、活性種である過酸化水素（Ｈ2 Ｏ2 ）及び／又は水酸基ラジカル（・ＯＨ）が生成され、空気中の浮遊細菌や浮遊ウィルス等が除去される。イオンとは、プラスイオン及びマイナスイオンを含む。
【００１９】
ファン５３は、ファンモータ（不図示）を備え、図３の矢印に示すように、不図示の吸気口から吸い込んだ空気をＰＣＩユニット５４の表面を通じて吹出口５２から外部へ送出する。これにより、ファン５３は、ＰＣＩユニット５４で発生したイオンを含む空気を送風することができる。
【００２０】
バッテリ５５は、例えば、充電可能な二次電池でもよく、あるいは乾電池でもよい。バッテリ５５は、ＰＣＩユニット５４、ファン５３、制御回路５６へ所要の電力を供給する。
【００２１】
制御回路５６は、発汗検出部１５で発汗を検出した場合、ファン５３の送風量を増加またはＰＣＩユニット５４のイオン発生量を増加すべく制御する。ベビーカー１００の座席１０に座った乳幼児の発汗が検知された場合、ファン５３の送風量を増加させるときには、大量の送風で体温を下げることができ、発汗を抑えることができる。また、所定部位は乳幼児などの人の背中又は臀部であるので、乳幼児を所要の姿勢で保持する場合に、特に発汗しやすい部位を検出することができる。
【００２２】
また、ファン５３の送風量を増加することにより、乳幼児などの人の周辺空間に通常よりも大量のイオンを供給することができ、乳幼児をイオンで包み込むことができ、雑菌の繁殖を抑え皮膚疾患などを抑制することができる。また、花粉やダニなどのアレルゲンを失活させることができ、アレルギー疾患なども抑制することができる。
【００２３】
また、大量のイオンで乳幼児を包み込むことができるので、頭髪、顔や肌などの露出箇所を保護することができる。
【００２４】
図４は第１実施形態のベビーカー１００の発汗検出部１５による発汗検出の一例を示す説明図である。図４の例では、発汗検出として、結露検知器、湿度検知器、温度検知器、温湿度検知器を用いる場合について例示している。図４に示すように、結露検知器を用いる場合には、「結露あり」の場合に、発汗を検出した（発汗あり）と判定することができる。
【００２５】
また、湿度検知器を用いる場合、「湿度８５％以上」の場合に、発汗によるムレを感じる可能性が高いので、発汗を検出した（発汗あり）と判定することができる。
【００２６】
また、温度検知器を用いる場合、「温度３５℃以上」の場合に、発汗によるムレを感じる可能性が高いので、発汗を検出した（発汗あり）と判定することができる。
【００２７】
また、温湿度検知器を用いる場合、「温度３３℃で湿度が６５％以上」の場合、「温度３６℃で湿度が６０％以上」の場合、あるいは「温度３９℃で湿度が５５％以上」の場合に、発汗によるムレを感じる可能性が高いので、発汗を検出した（発汗あり）と判定することができる。
【００２８】
以上の説明において、イオンを大量に送出する方法として送風量を増加することを例に挙げて説明をしたが、他の方法でもイオンの発生量を増加することができる。本実施の形態で使用するＰＣＩユニット５４は、空気中で放電して空気中の分子をイオン化するもので、例えば、放電電圧を高くすると発生するイオン量が増加する。また、放電電圧をパルスで与えるときには単位時間当たりのパルス数を増加することで発生するイオン量が増加する。また、放電電極の数を増加すると発生するイオン量も増加する。さらにこれらの組み合わせでイオンを増加させることもできる。これらの技術については、すでに公知なので説明は省略する。
【００２９】
また、イオン発生部をＰＣＩユニット５４に替えて、負イオン発生器や負電位の微細水滴を発生する静電霧化装置を使用することも可能である。これらの装置については、すでに公知なので説明は省略する。これらの装置を使用するときには、負電荷による爽快感や送風による清涼感を与えることができる。また、ＰＣＩユニット５４、負イオン発生器や負電位の微細水滴を発生する静電霧化装置などは各々異なる効果を発揮するものの環境改善手段として、同様に使用することができる。
【００３０】
（第２実施形態）
図５は第２実施形態の姿勢保持装置を具備するベビーカー１００の一例を示す外観斜視図である。図１に例示する第１実施形態１との相違点は、座席１０に着座した乳幼児を覆う着脱可能なカバーとしてのレインカバー１９、レインカバー１９の着脱の別を検出する検出部１３を備える点である。なお、検出部１３の設置位置は、一例であって、図５の例に限定されるものではない。
【００３１】
レインカバー１９は、例えば、ナイロン又はポリエチレン等の素材で作られており、一般的に静電気を帯びやすいという性質を有する。
【００３２】
検出部１３は、例えば、レインカバー１９の着脱の別を検出する機械的スイッチ、明るさを検知する光学センサ、磁石の磁力を検知する磁気センサなどを用いることができる。機械的スイッチを用いる場合には、レインカバー１９を装着したときにレインカバー１９と接触してスイッチが「入」になるような箇所に検出部１３を設ければよい。また、光学センサを用いる場合には、レインカバー１９の一部に不透明部分（例えば、黒色などの着色部分）にしておき、レインカバー１９を装着したときに不透明部分が光学センサに入射する光の一部又は全部を遮光するような箇所に検出部１３を設ければよい。また、磁気センサを用いる場合には、レインカバー１９の所定の箇所に予め磁石を装着しておき、レインカバー１９を装着したときに磁石の磁力を検知することができる箇所に検出部１３を設ければよい。
【００３３】
制御回路５６は、検出部１３でレインカバー１９の装着を検出した場合、ＰＣＩユニット５４の運転開始時点から所定時間の間、ファン５３の送風量を増加すべく制御する。例えば、運転開始時点から所定時間の間、風量をＱ２（Ｑ２＞Ｑ１）とし、所定時間経過後は、通常時の風量Ｑ１にすることができる。なお、ファン５３の送風量を増加させるためには、ファンモータの回転数を上げればよい。これにより、除電されるまでの時間を短縮し、早急に十分なイオンを供給することができる。所定時間は、例えば、２分、５分、１０分、１時間など適宜設定することができる。
【００３４】
図６はレインカバー１９を装着した場合の通常時のイオン量の変化の様子の一例を示す説明図である。図６において、横軸は時間（分）を示し、縦軸はレインカバー１９内のイオン量（個／立方センチメートル）を示す。また、図６の例では、通常時のファン５３の送風量をＱ１とする。
【００３５】
ベビーカー１００に装着するレインカバー１９は、プラス又はマイナスに帯電している場合が多く、レインカバー１９を装着した状態でＰＣＩユニット５４を動作させた場合、帯電したレインカバー１９が除電されるまでの間、イオンを十分に供給することができない。このため、図６に例示するように、乳幼児の周辺空間、すなわちレインカバー１９内の空間のイオン量が飽和状態に達するまでの時間が長くなる。
【００３６】
図７はレインカバー１９を装着した場合にＰＣＩユニット５４の運転開始時点から所定時間の間風量を増加させた場合のイオン量の変化の様子の一例を示す説明図である。図７に例示した場合の風量をＱ２とすると、図６に例示した場合の風量Ｑ１との間で、Ｑ２＞Ｑ１となるようにする。これにより、符号Ａで示すように、除電されるまでの時間を短縮し、早急に十分なイオンを供給することができる。
【００３７】
また、制御回路５６は、検出部１３でレインカバー１９の装着を検出した場合、ＰＣＩユニット５４の運転開始後、所定の周期でファン５３の送風量を繰り返し増減すべく制御する。所定の周期は、例えば、３０秒、６０秒、２分など適宜設定することができる。
【００３８】
図８はレインカバー１９を装着した場合に乳幼児が動いたときの通常時のイオン量の変化の様子の一例を示す説明図である。図８において、横軸は時間（分）を示し、縦軸はレインカバー１９内のイオン量（個／立方センチメートル）を示す。また、図８の例では、通常時のファン５３の送風量をＱ１とする。
【００３９】
ベビーカー１００にレインカバー１９を装着した場合に、座席１０に着座した乳幼児が動くと、静電気が発生し、レインカバー１９が帯電する。レインカバー１９が帯電すると除電されるまでの間、イオン量が減少する。このため、ベビーカー１０を使用中に不規則にイオン量が減少する状態が繰り返し発生する。図８の例では、時間Ｔ１、Ｔ２、Ｔ３の間でイオン量が減少している。なお、イオン量の減少量、時間は一例であって、図８の例に限定されるものではない。
【００４０】
図９はレインカバー１９を装着した場合に乳幼児が動いたときのＰＣＩユニット５４の運転開始後、所定の周期でファン５３の送風量を繰り返し増減させた場合のイオン量の変化の様子の一例を示す説明図である。図９の例は、所定の周期でファン５３の送風量を繰り返し増減すべく制御した場合の例を示す。例えば、所定の周期で、風量をＱ２とＱ１（Ｑ２＞Ｑ１）との間で増減させる。図９の例では、符号Ｂで示す時間帯において、風量をＱ１からＱ２に増加させている。これにより、レインカバー１９の帯電でイオン量が減少したタイミングと送風量を増やすタイミングとが合致すれば、レインカバー１９内のイオン量が減少することを抑制することができる。
【００４１】
なお、所定の周期で風量を増減する場合、周期毎に風量を増加させる時間をランダムに変化させてもよく、あるいは複数回の周期のうち、最初の方の周期においては風量を増加させる時間を長くし、終わりの方の周期においては風量を増加させる時間を短くするようにしてもよい。これにより、バッテリ５５の電力消費を抑制することができる。
【００４２】
図１０はレインカバー１９を装着した場合に乳幼児が動いたときのＰＣＩユニット５４の運転開始時点から所定時間の間風量を増加させた場合のイオン量の変化の様子の一例を示す説明図である。図１０は、図９に示す状態に対して、さらに、ＰＣＩユニット５４の運転開始時点から所定時間の間風量を増加させる場合を示す。これにより、符号Ｃで示すように、除電されるまでの時間を短縮し、早急に十分なイオンを供給することができる。
【００４３】
また、制御回路５６は、検出部１３でレインカバー１９の装着を検出した場合、レインカバー１９が装着されていない場合に比べてファン５３の送風量を増加すべく制御する。例えば、レインカバー１９が装着されていない通常時の風量をＱ１とし、レインカバー１９が装着された場合の風量をＱ２とすると、Ｑ２＞Ｑ１となるように制御する。
【００４４】
ベビーカー１００に装着するレインカバー１９は、プラス又はマイナスに帯電している場合が多く、レインカバー１９を装着した状態でＰＣＩユニット５４を動作させた場合、帯電したレインカバー１９が除電されるまでの間、イオンを十分に供給することができない。そこで、レインカバー１９が装着された場合には、送風量を増加させることで通常よりも多くのイオンを送出して、除電されるまでの時間を短縮し、早急に十分なイオンを供給することができる。また、使用中のレインカバー１９が静電気を帯びても速やかに除電することができる。
【００４５】
また、レインカバー１９内の空間を大量のイオンで満たすことができるので、レインカバー１９の内側の帯電を防止することができ、外部からの花粉や雑菌などの侵入を抑制することができる。
【００４６】
第１実施形態で説明したように、第２実施形態においても、ファン５３の送風量を増加する方法以外の方法でもイオン量を増加させることができる。ＰＣＩユニット５４の放電電圧を高くすると発生するイオン量が増加する。また、放電電圧をパルスで与えるときには単位時間当たりのパルス数を増加することで発生するイオン量が増加する。また、放電電極の数を増加すると発生するイオン量も増加する。さらにこれらの組み合わせでイオンを増加させることもできる。また、効果は異なるものの負イオン発生器や静電霧化装置も使用することができる。
【００４７】
（第３実施形態）
上述の第１実施形態では、制御回路５６は、発汗検出部１５で発汗を検出した場合、ファン５３の送風量を増加すべく制御する構成であった。また、第２実施形態では、制御回路５６は、検出部１３でレインカバー１９の装着を検出した場合、ファン５３の送風量を増加すべく制御する構成であった。第３実施形態では、第１実施形態及び第２実施形態の構成を具備する。すなわち、ベビーカー１００に乳幼児を乗せて、レインカバー１９を装着した状態で、発汗を検出した場合に、制御回路５６がファン５３の送風量を増加すべく制御するようにしてもよい。また、ＰＣＩユニット５４のイオン発生量を増加すべく制御するようにしてもよい。
【００４８】
（第４実施形態）
図１１は第４実施形態の姿勢保持装置を具備するベビーベッド２００の一例を示す説明図である。ベビーベッド２００は、乳幼児が所要の姿勢として仰向け、うつぶせ、横向きに寝た姿勢を保持することができるマット部２０、マット部２０のうち、乳幼児の背中、臀部などが接触する接触部に設けられた発汗検出部１５、イオン発生装置５０など備える。姿勢保持装置は、少なくともマット部２０、発汗検出部１５、イオン発生装置５０などで構成することができる。なお、姿勢保持装置の動作は第１実施形態と同様であるので、説明は省略する。第４実施形態において、イオン発生装置５０の設置個所は図１１の例に限定されない。また、第４実施形態においては、ベビーベッドに代えて成人用のベッドであってもよい。
【００４９】
（第５実施形態）
図１２は第５実施形態の姿勢保持装置を具備する車両３００の一例を示す説明図である。車両３００は、乳幼児を含む人が所要の姿勢として着座姿勢を保持することができる座席３０を備える。座席３０は、人の背中が接触する背もたれ部及び人の臀部が接触するシート部を有する。座席３０の背もたれ部には発汗検出部１５を設けてある。また、車両３００は、イオン発生装置５０を備える。姿勢保持装置は、少なくとも座席３０、発汗検出部１５、イオン発生装置５０などで構成することができる。なお、姿勢保持装置の動作は第１実施形態と同様であるので、説明は省略する。
【００５０】
第５実施形態において、座席３０は、運転席、助手席、後部座席のいずれでもよく、またチャイルシートであってもよい。また、イオン発生装置５０の設置個所は図１２の例に限定されない。また、車両３００は、図１２に例示するような自動車に限定されるものではなく、人を所要の姿勢に保持する座席などを備えるものであれば、どのような車両でもよい。
【００５１】
本発明の上述の各実施形態で記載されている技術特徴は、お互いに組み合わせて新しい技術方案を形成することができる。
【００５２】
本実施の形態の姿勢保持装置は、人を所要の姿勢に保持する姿勢保持装置であって、人体の所定部位が接触する接触部（１０、１１、１２、２０、３０）と、該接触部に設けられ、発汗を検出する発汗検出部（１５）と、イオン発生部（５４）と、該イオン発生部で発生したイオンを含む空気を送風するためのファン（５３）と、前記発汗検出部で発汗を検出した場合、前記イオン発生部で発生するイオン量を増加すべく前記イオン発生部及び／又は前記ファンを制御する制御部（５６）とを備えることを特徴とする。
【００５３】
本実施の形態にあっては、人体の所定部位が接触する接触部（１０、１１、１２、２０、３０）に発汗を検出する発汗検出部（１５）を設けてある。人体の所定部位とは、例えば、乳幼児の背中、臀部などであるが、他の部位であってもよい。接触部は、例えば、ベビーカーや車両に設けられた座席（シート）のうち、所定部位が主に接触する部分であり、背中が接触する箇所、臀部が接触する箇所などである。また、所定部位が接触するとは、例えば、乳幼児の着衣を介して接触することを意味するが、肌が露出した部分でもよい。発汗検出部は、例えば、結露検知器、湿度検知器、温度検知器、温湿度検知器などである。
【００５４】
また、イオン発生部（５４）、当該イオン発生部で発生したイオンを含む空気を送風するためのファン（５３）を備える。イオン発生部は、空気中の水蒸気をプラズマ放電によりイオン化することにより、プラスイオンとしてのＨ+ （Ｈ2 Ｏ）m （ｍは任意の自然数）と、マイナスイオンとしてのＯ2- （Ｈ2 Ｏ）n （ｎは任意の自然数）とを発生する。そして、これらが化学反応することにより、活性種である過酸化水素（Ｈ2 Ｏ2 ）及び／又は水酸基ラジカル（・ＯＨ）が生成され、空気中の浮遊細菌や浮遊ウィルス等が除去される。イオンとは、プラスイオン及びマイナスイオンを含む。
【００５５】
制御部（５６）は、発汗検出部で発汗を検出した場合、イオン発生部で発生するイオン量を増加すべくイオン発生部及び／又はファンを制御する。乳幼児などの人の発汗が検知された場合、イオン発生部が発生するイオン量を増加すべくイオン発生部及び／又はファンを制御するので、例えば、大量の送風で体温を下げることができ、発汗を抑えることができる。また、イオン発生量を増加することにより、乳幼児などの人の周辺空間に通常よりも大量のイオンを供給することができ、乳幼児をイオンで包み込むことができ、雑菌の繁殖を抑え皮膚疾患などを抑制することができる。また、花粉やダニなどのアレルゲンを失活させることができ、アレルギー疾患なども抑制することができる。
【００５６】
本実施の形態の姿勢保持装置は、人を覆う着脱可能なカバー（１９）の装着の着脱の別を検出する検出部（１３）を備え、前記制御部（５６）は、前記検出部で前記カバーの装着を検出した場合、前記カバーが装着されていない場合に比べてイオン発生量を増加させることを特徴とする。
【００５７】
本実施の形態にあっては、検出部（１３）は、人を覆う着脱可能なカバー（１９）の装着の着脱の別を検出する。カバーは、例えば、ベビーカー用のレインカバーである。検出部は、例えば、カバーの着脱の別を検出する機械的スイッチ、明るさを検知する光学センサ、磁石の磁力を検知する磁気センサなどを用いることができる。制御部（５６）は、検出部でカバーの装着を検出した場合、カバーが装着されていない場合に比べてイオン発生量を増加させる。例えば、カバーが装着されていない通常時の風量をＱ１とし、カバーが装着された場合の風量をＱ２とすると、Ｑ２＞Ｑ１となるように制御することにより、イオン発生量を増加させる。なお、ファンの送風量を増加させるためには、ファンモータの回転数を上げればよい。
【００５８】
ベビーカーに装着するカバー（レインカバー）は、プラス又はマイナスに帯電している場合が多く、カバーを装着した状態でイオン発生部を動作させた場合、カバーが除電されるまでの間、イオンを十分に供給することができない。そこで、カバーが装着された場合には、送風量を増加させること又はイオン発生部（５４）が発生するイオン量を増加させることで通常よりも多くのイオンを送出して、除電されるまでの時間を短縮し、早急に十分なイオンを供給することができる。また、使用中のカバーが静電気を帯びても速やかに除電することができる。
【００５９】
本実施の形態の姿勢保持装置は、前記制御部（５６）は、前記検出部（１３）で前記カバー（１９）の装着を検出した場合、前記イオン発生部（５４）の運転開始時点から所定時間の間、イオン発生量を増加させることを特徴とする。
【００６０】
本実施の形態にあっては、制御部（５６）は、検出部（１３）でカバー（１９）の装着を検出した場合、イオン発生部（５４）の運転開始時点から所定時間の間、イオン発生量を増加させる。所定時間は、例えば、２分、５分、１０分、１時間など適宜設定することができる。例えば、運転開始時点から所定時間の間、風量をＱ２とし、所定時間経過後は、風量をＱ１（Ｑ２＞Ｑ１）にすることにより、イオン発生量を増加させる。これにより、除電されるまでの時間を短縮し、早急に十分なイオンを供給することができる。
【００６１】
本実施の形態の姿勢保持装置は、前記制御部（５６）は、前記検出部（１３）で前記カバー（１９）の装着を検出した場合、前記イオン発生部（５４）の運転開始後、所定の周期でイオン発生量を繰り返し増減させることを特徴とする。
【００６２】
本実施の形態にあっては、制御部（５６）は、検出部（１３）でカバー（１９）の装着を検出した場合、イオン発生部（５４）の運転開始後、所定の周期でイオン発生量を繰り返し増減させる。所定の周期は、例えば、３０秒、６０秒、２分など適宜設定することができる。ベビーカーにカバーを装着した場合に、座席に着座した乳幼児が動くと、静電気が発生し、カバーが帯電する。カバーが帯電すると除電されるまでの間、イオン量が減少する。このため、ベビーカーを使用中に不規則にイオン量が減少する状態が繰り返し発生する。そこで、所定の周期でファンの送風量を繰り返し増減することにより、イオン発生量を増加させる。例えば、所定の周期で、風量をＱ１とＱ２（Ｑ２＞Ｑ１）との間で増減させることにより、カバーの帯電でイオン量が減少したタイミングと送風量を増やすタイミングとが合致すれば、イオン量が減少することを抑制することができる。
【００６３】
イオン量を増加させるためには、ファン（５３）の送風量を増加する方法以外の方法も採用することができる。イオン発生部（５４）の放電電圧を高くすると発生するイオン量が増加する。また、放電電圧をパルスで与えるときには単位時間当たりのパルス数を増加することで発生するイオン量が増加する。また、放電電極の数を増加すると発生するイオン量も増加する。さらにこれらの組み合わせでイオンを増加させることもできる。
【００６４】
本実施の形態の姿勢保持装置は、前記所定部位は、人の背中又は臀部であることを特徴とする。
【００６５】
本実施の形態にあっては、所定部位は、人の背中又は臀部である。これにより、乳幼児を所要の姿勢で保持する場合に、特に発汗しやすい部位を検出することができる。
【符号の説明】
【００６６】
１０、３０  座席（接触部）
１１  背もたれ部（接触部）
１２  シート部（接触部）
１３  検出部
１５  発汗検出部
１９  レインカバー（カバー）
２０  マット部（接触部）
５０  イオン発生装置
５３  ファン
５４  ＰＣＩユニット
５６  制御回路（制御部）
【図１】
2015209122.tif 000003
【図２】
2015209122.tif 000004
【図３】
2015209122.tif 000005
【図４】
2015209122.tif 000006
【図５】
2015209122.tif 000007
【図６】
2015209122.tif 000008
【図７】
2015209122.tif 000009
【図８】
2015209122.tif 000010
【図９】
2015209122.tif 000011
【図１０】
2015209122.tif 000012
【図１１】
2015209122.tif 000013
【図１２】
2015209122.tif 000014